(57)【要約】      （修正有）【課題】シートの運転モードを切換えて、シートに振動を付与して除霜することにより、除霜作業を省略し、保管物の劣化を防止することのできるシートシャッタの除霜方法を提供する。【解決手段】シート２の巻取りと繰出しをするシートドラム５を支持するシートケース４と、シート２の昇降動作を案内するシートガイド部１１を備えており、シート２の全閉状態の下限位置から、全開状態の上限位置との間を昇降ストロークをさせて、シート２に付着した霜を除去する除霜方法において、シート２を開閉動作させる通常開閉モードから、シート２の接地部１２を上昇途中で停止させ、上昇途中の停止位置から下降させて接地部１２を床面に接地させ又は床面に接近する位置に停止させる霜落し動作モードに切換えることにより、シート２に振動を付与してシート２に付着した霜を払い落して除去する。【選択図】図２
2014098256.tif 000002
【特許請求の範囲】
【請求項１】
モータ（７）の正逆回転駆動によりシート（２）の巻取りと繰出しをするシートドラム（５）を支持するシートケース（４）と、該シートケース（４）の左右に設置されてシート（２）の昇降動作を案内するシートガイド部（１１）を備え、シート（２）の下端の接地部（１２）を床面に接地させる全閉状態の下限位置から、接地部（１２）を最上昇させて全開状態にする上限位置との間を昇降ストロークをさせて開閉動作させると共に、シート（２）に付着した霜を除去するシートシャッタの除霜方法において、前記シート（２）を昇降ストローク間で開閉動作させる通常開閉モードから、全閉状態のシート（２）の接地部（１２）を上昇途中で停止させると共に、上昇途中の停止位置からシート（２）を下降させて接地部（１２）を床面に接地させ又は床面に接近する位置に停止させる基本霜落し動作を行なう霜落し動作モードに切換えることにより、シート（２）に基本霜落し動作に伴う上下及び前後方向の振動を付与してシート（２）に付着した霜を払い落して除去するシートシャッタの除霜方法。
【請求項２】
前記霜落し動作モードによる運転中、シート（２）を上昇途中の停止位置から下降させ接地部（１２）を床面に衝突させることにより、シート（２）に強力な振動を付与する霜落し動作をさせて除霜する請求項１記載のシートシャッタの除霜方法。
【請求項３】
前記霜落し動作モードの基本霜落し動作の上昇途中の停止位置に対し、該停止位置と異なる高さの別の停止位置を設定し、両方の停止位置間で接地部（１２）を昇降させ且つ急停止させることによりシート（２）に振動を付与して除霜する請求項１又は２記載のシートシャッタの除霜方法。
【請求項４】
前記霜落し動作モードから通常開閉モードに復帰させるとき、復帰直前の霜落し動作のシート（２）の下降動作を、通常開閉モードと同一な緩速度動作であるスローストップ動作によって接地部（１２）を下限位置に停止させる請求項１又は２又は３記載のシートシャッタの除霜方法。
【請求項５】
通常開閉モードによる運転において、シート（２）に霜が付着した状態でのシートドラム（５）の巻上げにより、シート（２）の霜が付着していない状態での上限停止位置を越えてシート（２）が巻上げられた際に、シート（２）側に設けたストッパ（３２）をシートケース（４）又はシートガイド部（１１）側に設けたシートストッパ（３１）に接当させ、シートドラム（５）の回転を停止させて一定量逆転させることにより、ストッパ（３２）をシートストッパ（３１）から離れさせ、シート（２）を仮の上限停止位置で停止させ、次の下降動作への待機状態を保持させる請求項１又は２又は３又は４記載のシートシャッタの除霜方法。
【発明の詳細な説明】
【技術分野】
【０００１】
本発明は、冷蔵庫や冷凍庫或いは低温ショーケース等の冷蔵設備の出入口や間仕切り部分に設置されるシートシャッタの除霜（霜落し）方法に関する。
【背景技術】
【０００２】
従来、工場や倉庫等建物の出入口や間仕切り部分に設置されるシートシャッタ（シャッタ装置）は、シートを巻取り繰出し可能に巻き掛けたシートドラムを電動モータによって正逆回転させ、シートを両側のガイドレールに沿わせて昇降させることにより、出入口（間口）の開閉を行なうように構成されている。そして、冷蔵品や冷凍品を扱う食品加工工場等で使用する場合のシートシャッタは、低温倉庫（冷凍室や冷蔵室）等の冷蔵設備と加工室等の作業エリアや倉庫にアクセスするエリアとの間に設置される。また低温下で使用されるシートシャッタは、ガイドレールを収容するレールボックス本体内にヒータを付設することにより、レールボックス（シートガイド部）に生ずる結露の発生を防止して使用することも、既に公知である（例えば特許文献１参照）。
また、シートの表面に付着する塵埃等の付着物を、衛生を保つためにブラシによって自動的に除去するシートシャッタも既に公知である（例えば特許文献２参照）。
【先行技術文献】
【特許文献】
【０００３】
【特許文献１】特開昭２００５−２９９６０号公報
【特許文献２】実開平４−５６７５号公報
【発明の概要】
【発明が解決しようとする課題】
【０００４】
上記特許文献１で示されるシートシャッタは、ヒータによってレールボックスの結露を防止するが、冷蔵温度が−２０℃程度の低温下で使用されるシートの面に付着する霜の除去は、室温の加冷効果を妨げるため行なうことができない。
一方、特許文献２で示されるシートシャッタは、シートドラムに巻取られるシートにブラシを押し当てるため、シートの開閉動作時に塵埃を自動的に除去することができる。然し、このシートシャッタを上記冷蔵設備に使用する場合に、ブラシを単にシートに接当させる塵埃除去手段によっては、低温下でシート表面に氷結して付着した霜を十分に除去することができない。
即ち、低温下で使用されるシートシャッタは、シートの開閉動作の頻度が高いときは、霜は開閉動作時に生ずる振動によってその都度振り落とされて除霜されるため、通常のスムーズな開閉動作を維持することができる。これに対し、開閉動作頻度が少ない長時間の非作業時の後に、シートを通常の開閉モードによって開閉しようとすると、広い範囲で霜が氷結して付着しているシートは、シートドラムによって巻取る際に、順次巻径を大きくしながら巻取られる。このためシートドラムの設定回転による正常なシートの上昇動作が妨げられ、巻取り抵抗によってモータに過負荷を生じるため、シートのスムーズな開閉動作が困難になる等の課題がある。
そこで本発明は、上記実情に鑑みシートシャッタが備える通常開閉モードと共に、除霜動作をシートの昇降動作を利用して適時自動的に行なうことができるシートシャッタの除霜方法を提供する。
【課題を解決するための手段】
【０００５】
上記課題を解決するために本発明のシートシャッタの除霜方法は、第１に、モータ７の正逆回転駆動によりシート２の巻取りと繰出しをするシートドラム５を支持するシートケース４と、該シートケース４の左右に設置されてシート２の昇降動作を案内するシートガイド部１１を備え、シート２の下端の接地部１２を床面に接地させる全閉状態の下限位置から、接地部１２を最上昇させて全開状態にする上限位置との間を昇降ストロークをさせて開閉動作させると共に、シート２に付着した霜を除去するシートシャッタの除霜方法において、前記シート２を昇降ストローク間で開閉動作させる通常開閉モードから、全閉状態のシート２の接地部１２を上昇途中で停止させると共に、上昇途中の停止位置からシート２を下降させて接地部１２を床面に接地させ又は床面に接近する位置に停止させる基本霜落し動作を行なう霜落し動作モードに切換えることにより、シート２に基本霜落し動作に伴う上下及び前後方向の振動を付与してシート２に付着した霜を払い落して除去することを特徴としている。
【０００６】
第２に、前記霜落し動作モードによる運転中、シート２を上昇途中の停止位置から下降させ接地部１２を床面に衝突させることにより、シート２に強力な振動を付与する霜落し動作をさせて除霜することを特徴としている。
【０００７】
第３に、前記霜落し動作モードの基本霜落し動作の上昇途中の停止位置に対し、該停止位置と異なる高さの別の停止位置を設定し、両方の停止位置間で接地部１２を昇降させ且つ急停止させることによりシート２に振動を付与して除霜することを特徴としている。
【０００８】
第４に、前記霜落し動作モードから通常開閉モードに復帰させるとき、復帰直前の霜落し動作のシート２の下降動作を、通常開閉モードと同一な緩速動作であるスローストップ動作によって接地部１２を下限位置に停止させることを特徴としている。
【０００９】
第５に、通常開閉モードによる運転において、シート２に霜が付着した状態でのシートドラム５の巻上げにより、シート２の霜が付着していない状態での上限停止位置を越えてシート２が巻上げられた際に、シート２側に設けたストッパ３２をシートケース４又はシートガイド部１１側に設けたシートストッパ３１に接当させてシートドラム５の回転を停止させ、一定量逆転させることにより、ストッパ３２をシートストッパ３１から離れさせ、シート２を仮の上限停止位置で停止させ、次の下降動作への待機状態を保持させることを特徴としている。
【発明の効果】
【００１０】
以上のように構成される本発明のシートシャッタの除霜方法は、以下のような作用効果を奏する。
シートを昇降ストローク間で開閉動作させる通常開閉モードから、霜落し動作モードに切換えることにより、シートに振動を付与して付着した霜を落すことができるため、人為的な霜落作業を省略することができる。霜落し動作を昇降ストロークの中途部で昇降動作させて行うので、冷気の外部流出を抑制し低温保管設備のエネルギーのロスを防止しながら保管される保管物の劣化を防止することができる。
霜落し動作モードによる運転時には、シートをその下限位置を越えて下降させて接地部を床面に衝突させることによりシートに振動を付与し、霜落し動作モード時に、シートを全開状態にすることなく上昇途中の停止位置まで上昇したのち、接地部を下降させて床面に衝突させ、強い振動を付与して接地部及び下端部を含めたシート全体を除霜することができる。
霜落し動作モードの基本霜落し動作の上昇途中の停止位置と、これとは高さの異なる別の停止位置間で昇降させ且つ急停止させることにより、シートの上下方向中途の広い範囲に振動を付与して霜落しを効率よく行うことができる。
霜落し動作モードから通常開閉モードに復帰させるとき、復帰直前の霜落し動作のシートの下降動作を、通常開閉モードと同様に緩速でスローストップ動作によって接地部を下限位置に停止させることにより、余分な衝撃を伴わず下限位置に正確に停止させる。これにより、霜落しパターンで生じたシートの弛みや皺を伸ばして密着した接地状態にすることができるほか、通常開閉モードにスムーズに移行させることができる。
さらに通常開閉モードの運転時に、シートに霜が付着して巻取り径が増大することによるシートの過剰な巻上げを防止してモータへの過負荷を防止し、シートの次の下降への待機姿勢を良好に保持できる。
【図面の簡単な説明】
【００１１】
【図１】本発明が適用されたシートシャッタを一部破断をして示す正面図である。
【図２】図１の要部の構成を示すＡ−Ａ線断面図である。
【図３】シートシャッタの左側の構成を一部破断をして示す正面図である。
【図４】支柱とシートガイド部の構成を示す断面図である。
【図５】支柱とシートガイド部の構成を示す断面図である。
【図６】シートシャッタの通常開閉モードと霜落し動作モードを示すタイムチャート図である。
【図７】（ａ）〜（ｈ）はシートシャッタの霜落し動作モードの各動作を示す模式図である。
【図８】（ｉ）〜（ｏ）はシートシャッタの霜落し動作モードの各動作を示す模式図である。
【図９】心材付きシートを備えたシートシャッタを一部破断をして示す正面図である。
【図１０】心材のローラ構造を示す側面図である。
【発明を実施するための形態】
【００１２】
本発明の一実施形態を図面に基づいて説明する。図１において符号１は主として冷蔵庫や冷凍庫或いは低温ショーケース等の冷蔵設備の出入口（間口）に設置されるシートシャッタである。このシートシャッタ１は、シャッタ部材であるシート２と、その左右を支持し上下方向の昇降移動を案内する中空で四角形のＣ形断面を備えた支柱３（サイドフレーム）と、シート２を巻取り繰出し自在に収容するシートケース（シートフレーム）４等で構成される。
【００１３】
上記シートシャッタ１は、左右の支柱３を建物の出入口に構成される柱や壁に沿って平行に立設され、両方の支柱３はその上部に建物の梁或いは壁面に沿って横向きに設置されるシートケース４の両側を載置した状態で着脱可能に取付けられ、全体としてゲート状に形造られている。上記シートケース４の内部には、シャッタ開閉機構としてのシートドラム（繰出装置）５を内装している。このシートドラム５は正逆回転によりシート２の巻取りと繰出しを行い、シート２は左右の支柱３に構成されるシートガイド部に両側辺を昇降スライド可能に案内されて昇降作動し出入口の開閉を行う。
【００１４】
先ず、図１〜図４を参照しシートシャッタ１の具体的な構成について説明する。シートケース４は、側面視で、四角形断面の筒状に形成されたケース本体６の両側に、端板６ａ，６ｂを着脱自在に取付けることにより中空状のケース室を形成している。このケース室内には左右の端板６ａ，６ｂによって回転可能に軸支される中空円筒状のシートドラム５を左右方向に収容している。またケース本体６の後方下部には、左右の支柱３の内部と連通してシート２の昇降移動を許容する開口部６ｃを形成している。
右方の端板６ａは内側面に、円柱形状のモータ７の基部をボルトによって取付けることにより、シートドラム５内に臨ませて支持している。モータ７は駆動軸７ａに設けた凹凸状の輪体からなる駆動体８をシートドラム５の内面に係合してシートドラム５を正逆回転駆動する。
【００１５】
図面に示す例では、左方の端板６ｂは内側面に、シートドラム５の左端部に取付けられる取付板８ａが有する支軸８ｂを軸支し、ケース本体６の左端部を閉鎖するように取付けられる。これによりシートドラム５は、シートケース４内に水平に軸支され、モータ７の正逆回転に伴いシート２の繰出し下降と巻取り上昇を行い出入口の開閉を行う。そして、この実施形態のシートシャッタ１は、シート２の開閉動作を制御盤９内に設けられた制御部（図示しない）によって、後述する通常開閉モードと霜落し動作モードを選択して行うことができ、例えば−２０℃程度の低温下で物品を冷凍・冷蔵保管する設備の出入り口等に設置することができる。
【００１６】
即ち、制御盤９内の制御部では通常開閉モードにおけるシート開閉動作を、従来のものと同様に制御盤９に設置される操作スイッチ部９ａによるの手動操作指令、及びシートガイド部１１に設けられて通過体を検知する検知部（センサー）９ｂの自動検知に基づく正回転信号と逆回転信号により、モータ７を正逆回転させることによって行う。一方、霜落（除霜）動作モードによるシート２の霜落し動作は、制御盤９内の霜落制御部（回路）に設けたモード切換スイッチ９ｅ切換操作により、通常開閉モードから図７，図８に示す各種霜落し動作モードのモード制御指令によって行う。また霜落し動作モードの時には、支柱３の上部に設けたブザー９ｃをＯＮすることにより状態報知をするようにしている。そして、シートシャッタ１の支柱３やモータ７等の所要箇所には、必要に応じてヒータ９ｄを設けることにより、霜や結露の発生を防止することができる。
【００１７】
シート２は、可撓性及び耐候性及び必要により透光性或いは遮光性を有する合成樹脂材による長方形の幕体からなり、実施形態のものは−２０℃程度の低温下でも耐久性を備える耐低温用シートを採用している。図示例のシート２は、上端（基部側）をシートドラム５の周面に軸方向に沿って取付け、幕体の両側縁に沿って公知の構成からなる駒状の多数のガイド突起１０を一定間隔を介して連続的に設けている。そして、各支柱３の内向き対向面側に構成されるシートガイド部（シャッタガイド部）１１に、ガイド突起１０を昇降スライド可能に係合させて収容している。これによりシート２はシート両側の抜け止めを図りながら、横方向のシートの張りを保持しスムーズな昇降作動を行う。
【００１８】
またシート２の下端にはウェイト部を兼ねてシート２を下方に向けて付勢する接地部１２を設けており、該接地部１２はシート２が最下降した閉じ状態で、平坦な地面或いは床面等（以下床面と言う）に沿って気密性を保持して接地する。この接地部１２は図２で示すように、鉄パイプ等のウェイト１２ａを横向きに内装する袋状の接地シート１２ｂの折返し両端部を、シート２の下端前後に重ねた状態で貼り合せることによって構成される。そして、接地シート１２ｂ内でウェイト１２ａとの間には、スポンジやゴム材からなる緩衝部材１２ｃを介装し、且つウェイト１２ａの下部と接地シート１２ｂの間に空間部を形成している。これにより図２の点線で示すように接地部１２が最下降した時に、ウェイト１２ａと床面との直接的な接当を防止しながら、接地シート１２ｂを床面に沿って密着するように接地させて気密性を保持をさせる。
【００１９】
シートガイド部１１は図２〜図５で示すように、支柱３の内向き面に溝１３を上下方向に形成し、該溝１３にコ字状断面に形成されたアウターレール１４を嵌合し、前後で対をなす側壁１４ａの内向きの端部を固定している。そして、アウターレール１４内に、インナーレール１６と該インナーレール１６の上部に接続される上部インナーレール１７とを着脱可能に嵌合して取付けられる。尚、アウターレール１４及びインナーレール１６並びに上部インナーレール１７は、耐摩耗性と所定の可撓性を有する合成樹脂材によって形成される。
【００２０】
図４，図５で示すようにインナーレール１６は、平面視においてレール部材内で上下方向に設けた仕切壁１９の左右側に、シート２に付設されたガイド突起１０を昇降スライド可能に係合させて収容する内向きの係合ガイド２１を備えている。また、アウターレール１４にはシート張り方向に弾力性を有して取付けるためのインナー支持部２２を一体的に形成している。
係合ガイド２１は仕切壁１９の両側から内向きに突設したフック状の先端部を有して対をなすガイド壁２３によって形成さる。ガイド壁２３，２３は先端部に形成されるフック部の間にシート２の昇降を案内するシート溝２３ａを形成し、且つ基部側と仕切壁１９との間にシート溝２３ａに連通しガイド突起１０を昇降スライド可能に収容する突起溝２３ｂを形成している。
【００２１】
図示される突起溝２３ｂは、シート溝２３ａの溝幅をガイド突起１０と平行にフック部を形成している。図４で示すインナーレール１６の通常取付け姿勢において、シート２はガイド突起１０が係合ガイド２１の突起溝２３ｂの左右中間に位置した状態で内方向への抜け出しを規制した状態で昇降スライドさせる。
またシート２が昇降時に人の接触や強風等による前後方向の負荷を受ける場合は、シート２の両端は内向きに引張られてガイド突起１０がシート溝２３ａから抜け出そうとする。この時ガイド突起１０は、前後に一対のガイド壁２３のフック形状によって抜け出しを規制するため、シート外れを防止しながらシート２の昇降案内をすることができる。
【００２２】
インナー支持部２２は仕切壁１９とその前後両側から外向きに突設した周壁２４，２４によって形成される。この２４，２４の外端部に向き合って形成される前後のフック状断面の先端部の間には取付ピン２６を挿入するピン溝２７が形成されている。
この構成により、インナー支持部２２内にコイル状のスプリング２８を外装した取付ピン２６を収容した状態で、取付ピン２６の先端部をピン溝２７から突出させることができる。該ピン溝２７から突出した取付ピン２６の先端部を、アウターレール１４の底壁１４ｃに穿設される取付孔２９に挿入し、止めピン等の着脱可能な止め具３０を取付け、内側への必要以上のスライドを規制している。
【００２３】
上記スプリング２８を外装した取付ピン２６は、アウターレール１４の上下方向に所定の取付け間隔を有して多数穿設された取付孔２９の数だけインナー支持部２２に収容し、各取付ピン２６を対応するアウターレール１４のそれぞれの取付孔２９に挿入している。
この構造により図４で示すように、インナーレール１６はアウターレール１４内にインサートされた状態で取付けられ、各スプリング２８の外向き弾力によってアウターレール１４の底壁１４ｃに弾力的に押接され、係合ガイド２１がガイド突起１０を介しシート２を外向きのシート張り方向に弾力的に引張られて支持される。
【００２４】
以上のように構成されるシートガイド部１１は、シート２がシート面に直交する方向（前後方向）の負荷を受けた場合に、図５で示すようにインナーレール１６はシート２及びガイド突起１０を介して内向き方向の引抜力を受ける。この時インナーレール１６はスプリング２８に抗して、アウターレール１４内で内向き方向に弾力的にスライドするため引抜方向の力を緩衝することができる。またこの時撓み変形したガイド壁２３，２３及び仕切壁１９は弾力的に復帰するので、シートガイド部１１の破損を防止する。
【００２５】
次に、図２，図３を参照し上部インナーレール１７について説明する。この上部インナーレール１７はアウターレール１４内でインナーレール１６の上部に着脱自在に接続している。そして、上部インナーレール１７の上部には、内向きアングル状に延長させたシートストッパ３１を一体的に突設している。このシートストッパ３１は接地部１２の上部両側に設けたストッパ３２をそれぞれ接当させることができる。各ストッパ３２は、接地部１２の上部両側において、前記シート２の下端と接地シート１２ｂが重なる部分に前後に貫通させたボルトにナットを締着することによって取付けられている。          
【００２６】
上記構成においてシートシャッタ１は、通常開閉モードにおけるモータ７の回転制御によりシート２が巻取られて接地部１２が最上昇する上限位置を、図２に実線で示す前記ストッパ３２が、シートストッパ３１から下方に２０ミリ程度のストッパ間隔を有して離間した位置で上昇動作を停止をするように設定している。一方、シート２の巻取り時に誤動作を生じたり又はシート２の表面に後述する霜等の付着物が厚層をなして付着した場合には、シート２がシートドラム５に巻き過ぎ或いは巻取り径がきくなって、前記上限位置を越えて上昇動作することがある。このような場合にシートストッパ３１は、ストッパ３２を接当させて接当位置以上のシート２の上昇を規制するため、この接当上昇を規制することによりシートケース４内への接地部１２の過剰な巻き込みを防止する。
【００２７】
そして、実施形態のシートシャッタ１は、上記のようなシート２の接当の上昇規制が行われた停止時に、モータ７の過負荷及びシート２の開閉動作トラブルを解消する仮上限位置保持のための制御手段を備えている。この仮上限位置保持の制御手段は、前記ストッパ３２がシートストッパ３１に接当したシート２の接当停止時に、モータ７の回転をパルス検知による回転検知制御手段又は接当に伴うモータ負荷の検知による負荷検知制御手段等によって検知する。この時の検出信号により制御部はモータ７を停止させ、その後逆転させてシート２を繰出し下降させ、接当状態にあるストッパ３２をシートストッパ３１から下方に２０ミリ程度離れた前記シート２の仮の上限位置に停止させて保持させる。
【００２８】
これによりシートシャッタ１は、シート２を接当停止位置に無理な停止姿勢で固定させることなく巻取りを少し緩めた状態にして、次期のスムーズな下降に備える仮上限位置に停止して保持し、次の下降に備えた待機状態を維持することができる。
さらに、上記仮上限位置を保持する制御手段は、シートストッパ３１或いはシートケース４の下部から下方に向けて接地部１２の下端が略３００ミリ程度の仮の上限位置の更新範囲内において、シート２の巻取り上昇時にモータ７に過負荷を伴う状態が生じた場合に、その過負荷状態を回避して下降の待機状態を保持する。
【００２９】
即ち、シートシャッタ１は低温下で長時間にわたり開閉が行われない場合に、シート２の表面に生成する霜は、上方から下方に向けて順次厚みを増して付着すると共に、シートガイド部１１にも同様に霜が生成されて付着する。この状態でシート２が上昇動作されると、シートドラム５はシート２を厚みを増した霜によって巻取り径が順次大きくなった状態で巻取ることになる。このため昇降ストローク量によって設定されているシートドラム５の設定回転数(例えば、４．５回転程度)に至ることなく、これより少ない回転数(例えば、４回転程度)であっても、シート２は上限位置を越えて上昇動作ストッパ３２をシートストッパ３１に接当させる。
【００３０】
そして、この上昇規制によりシートケース４内への接地部１２の巻き込みを防止する一方、モータ７は正回転が妨げられるためモータ負荷が増大し回転停止状態になる。
従って、このような事態が仮上限位置の更新範囲内で生じたときシートシャッタ１は、前記仮の上限位置の更新制御によってモータ７を逆転し、シート２を繰出し下降させて接地部１２の下端を例えば略２０ミリ程度下げた後に停止して負荷を解除し、次期の下降動作にスムーズに入ることができる。
【００３１】
尚、シートシャッタ１は仮の上限位置の更新範囲以下の位置でシート２の下降中に停止させる場合には、シートドラム５の回転を負荷検知制御手段等によって、逆転より正転に切り換え、シート２を上限位置まで上昇させる。またシート２の上昇中に停止させる場合には、人や物が接当したと判断してシート２をその位置で停止して警報する。
さらに、シートシャッタ１は、通常開閉モードと共に以下に詳述する霜落し動作モードを備えていることにより、シート２が設定時間の間に開閉動作が行われない場合に、通常開閉モードから霜落（除霜）動作モードに切換えて、シート２に付着する霜を自動的に落下させる自動霜落運転を行う。
【００３２】
次に、図６〜図８を参照しシートシャッタ１の通常開閉モード及び霜落し動作モード並びにその作動態様について説明する。先ず、シートシャッタ１は図６で示すタイムチャートで示すように、通常開閉モードにおいては、前記上昇指令（開指令）によるモータ７の正転により、シートドラム５がシート２を巻取り上昇動作させ、上部インナーレール１７のシートストッパ３１にストッパ３２が接当する直前の上限位置で、シートドラム５の回転を制御して回転停止させ、接地部１２を停止させて下降の待機姿勢にする。次いで、下降指令（閉指令）によるモータ７の逆転により、シートドラム５がシート２を上限位置から繰出し下降させて閉じ状態にする。
【００３３】
このときシート２は接地部１２の重量を受けながら下降し、接地部１２が床面に対して適正接地位置に達したときシートドラム５を自動停止させる。またシート２の両端のガイド突起１０は、左右の支柱３に構成されるシートガイド部１１のインナーレール１６に案内されて、シート２を巾（横）方向に引張られて弛みを防止した状態でスライド下降し、出入口を閉鎖し上昇の待機姿勢に至る。上記通常開閉モードにおいてはシートシャッタ１は、在来のものと同様なモータ回転制御手段によって、シート２の上昇初期と下降初期には低速から徐々に増速して所定の移動速度に達する。逆に上昇終期と下降終期の所定範囲においては、上記所定移動速度から徐々にモータ７を低速回転させて停止するスローストップ制御をさせることにより、シート２を上限位置又は下限位置で緩やかに停止する。
【００３４】
そして、霜落し動作モードにする場合には、制御盤９に設置されるモード切換スイッチ９ｅを上記通常開閉モードから切換えることにより、図６〜図８に示すように霜落し動作モードにより自動的に霜落運転を行う。尚、各図において、シート２が前回の開閉動作を行った後に霜落し動作モードがＯＮされるまでの時間はｔ１（分）として表し、この霜落し動作モード待機時間の設定は例えば３０分間から１時間単位の間隔で、２４時間程度の時間の範囲内で自由に選択して設定することができる。
また１サイクルの霜落し動作モードにおいて上下昇降動作を繰返す回数はｎとし表し、この設定範囲は１〜１０回程度の回数を自由に選択して設定することができる。
【００３５】
即ち、霜落し動作モードは、図６及び図７（ａ）で示す通常開閉モードの手動又は自動モードから、同図７（ｂ）で示す霜落し動作モード待機状態になる。ここで霜落し動作モードを知らせるブザー９ｃをＯＮし、設定された時間（３秒程度）経過後に霜落し動作モードの動作１回目霜落し動作を図７（ｃ）〜図７（ｆ）で示すように第１霜落パターンとして行なう。次いで、図７（ｃ）〜図７（ｆ）で示す一連の霜落し動作を第２霜落パターンとして設定しており、動作２〜ｎ−１回目として順次行う。さらに、図８（ｋ）〜図８（ｏ）で示す一連の霜落し動作を第３霜落パターンとして設定しており、動作ｎ回目として行う。
【００３６】
そして、霜落し動作モードの各動作パターンによる自動霜落運転が完了すると、ブザー９ｃをＯＦＦし通常開閉モードに復帰させる。設定された霜落し動作モードの待機設定時間の経過後に同様の霜落し動作モードを再開し、一連の自動霜落運転を繰り返し行う。またシートシャッタ１の制御盤９は上記通常開閉モードと霜落し動作モード及び霜落し動作モードの各設定を図示しない内蔵型の制御部によるほか、制御盤９に接続されたパソコンから設定することができるように構成することもできる。これによりシートシャッタ１が、例えば―２０℃程度の低温で運転される冷蔵庫等の冷蔵設備に設置される場合に、シート２に付着した霜を簡単且つ能率よく確実に落すことができる。
【００３７】
次に図７を参照し霜落し動作モードの第１霜落パターンについて説明する。同図７（ｂ）で示す霜落し動作モード待機状態から図７（ｃ）の動作１回目によって上昇を開始するシート２は、所定の上昇速度（２．５ｍ／ｓ程度）で０．５秒間上昇したのち、図７（ｄ）で示すようにシート２の昇降ストローク中途の霜落高さｈ１で上昇動作停止する。次いで、停止時間０．３秒後に図７（ｅ）で示す下降動作を開始し０．５秒間行う。この時上昇と下降動作を同じ速度、同じ時間で行った場合、慣性力により下降動作距離が上昇動作距離より長くなることより、シート２の繰出し量が多くなり図７（ｆ）で示すように、接地部１２を通常開閉モードの前記下限位置を越えて床面に衝突するようにに強く接地させて下降動作を停止させる。
【００３８】
この第１霜落パターンでは、閉じ状態のシート２を霜落高さｈ１まで上げて急速中途停止させ、シート２の上昇方向の慣性力及び上下方向の緊張と弛緩及び前後方向の揺れや撓み等の振動の発生により、シート２の表面では第１回目の霜落しが行われる。そして、シート２は霜落高さｈ１から急下降されることに伴う振動を再び受けて第２回目の霜落しが行われる。さらに、シート２は接地部１２が床面に強く接当（衝突）し第３回目の霜落しが行われる。
【００３９】
上記第３回目の霜落しは、シート２の接地部１２のウェイト１２ａが接地シート１２ｂを介して床面に衝突する。これにより接地部１２及びシート２の下端部は、強い振動と大きな撓み変動による接地振動を受けて、この部に厚層で強固に付着する霜の霜落しを確実に行う。
【００４０】
次に、図７，図８を参照し霜落し動作モードの第２霜落パターンについて説明する。前記図７（ｆ）で示す接地部１２が床面に衝突接地した状態から、図７（ｇ）では所定の上昇速度（２．５ｍ／ｓ程度）で０．８秒間上昇動作した位置で、図７（ｈ）で示すようにシート２は昇降ストローク途中の霜落高さｈ２まで上昇して停止する。次いで、停止時間０．３秒後に図８（ｉ）で示す下降動作を開始し０．５秒間降下する。これにより図８（ｊ）で示すようにシート２は、接地部１２を床面に接地させることなく高さｈ３を保持するように急停止する。
【００４１】
この第２霜落パターンでは、昇降ストローク中に第１回目より高い位置に設定された霜落高さｈ２で上昇動作が急停止されるシート２は、前記第１回目の振動と異なる第４回目の振動を受けるため、シート２表面に対し前回の霜落しでは落ちなかった霜を広い範囲で落すことができる。さらに、ここから図８（ｊ）で示すようにシート２を急下降させて接地部１２を床面に接地させることなく高さｈ３保持するように急停止させると、シート２は接地部１２の下降動作の慣性により瞬時的な張り伸ばし緊張を付与する第５回目の振動を受ける。これによりシート２は付着霜を前後方向に剥離させたり下方に脱落させて霜落しを別の作用によって行うことができる。そして、この第２霜落パターンによる一連の霜落し動作は、必要に応じてパソコン側からも任意の数回（動作２〜ｎ−１回目）行うことができる。
【００４２】
次に、図８を参照し第３霜落パターンについて説明する。同図８（ｋ）では前記図８（ｊ）で示す接地部１２が霜落高さｈ３を有した非接地状態にあるシート２を所定の上昇速度（２．５ｍ／ｓ程度）で０．８秒間上昇したのち、図８（ｌ）で示すようにシート２の昇降ストローク途中の霜落高さｈ４で上昇動作停止する。尚、この場合の霜落高さｈ４は霜落高さｈ２より低い高さに設定している。次いで、停止時間０．３秒後に図８（ｍ）で示す下降動作を開始して０．５秒間行い、これにより接地部１２を床面に低速で接地させるように制御（スローストップ制御）をし、図８（ｎ）で示すようにシート２を下限位置に停止させシート２を閉じ状態として動作３パターンを完了する。
【００４３】
そして、図８（ｏ）で示すようにブザー９ｃをＯＦＦし通常開閉モードに復帰させる。以降任意に設定される時間後に同様の霜落し動作モードを再開し、一連の自動霜落運転を行う。上記第３霜落パターンでは、シート２を霜落高さｈ４からの下降動作を前記スローストップ制御によって、シートドラム５を高速で逆転させることなく回転制御をして、シート２をゆっくりと低速で下降させながら下限位置に停止することができる。
【００４４】
従って、シートドラム５の回転時の慣性及び自重の大きい接地部１２の下降時の慣性力が抑制されたシート２は、接地部１２が下限位置から下方側へ位置ズレを生ずることなく正確に停止する。またシート２はシートドラム５の低速繰出しと接地部１２の自重によって張り伸ばし状態で下方移動するため、前記霜落パターンで生じたシート２の弛みや皺を伸ばした閉じ状態にすると共に、接地部１２と床面との接触により気密を保持しながら下限位置で保持し、通常開閉モードにスムーズに移行させることができる。
【００４５】
次に、以上のように構成されるシートシャッタ１の使用態様について説明する。先ず、前記低温下において通常開閉モードで運転されるシートシャッタ１は、開閉動作が頻繁に行われる場合には霜の付着も少ないことから、常温の通常環境下と同様にシート２の開閉をスムーズに行うことができる。他方、低温環境下において霜落し動作モードを使用しないまま長時間にわたりシート２の開閉が行なわれない場合には、シート２の表面に生成する霜が厚層になって付着する。
【００４６】
このような場合に開動されるシート２は、正転するシートドラム５に霜が付着したまま巻取られて巻取り径が大きくなり、上限位置を越えるストッパ３２をシートストッパ３１に接当させて接地部１２の巻込みを防止する。そして、このとき生ずる負荷検知によってシートドラム５を一時的に逆転停止させ、ストッパ３１をシートストッパ３２から離間させシートを仮の上限位置に停止保持し次期の下降待機姿勢に移る。
【００４７】
またシートシャッタ１は、付着した霜を自動的に落す自動的な霜落運転機能として霜落し動作モードを備えているため、冷蔵、冷凍室等の低温保管設備の使用態様に応じた霜落し動作モードの設定に基づき、通常開閉モードから霜落し動作モードへ自動的に切換えて霜落し動作を行うことができる。これにより省力及び省エネと低温保管設備内に保管される保管物の品質管理に貢献することができる。そして、霜落し動作は前記した各種の霜落し動作パターンを備えているため、シートシャッタ１が、前記低温下で運転される冷凍室等の保管設備に設置される場合に、シート２の付着した霜を能率よく簡単に落すことができる。
【００４８】
即ち、この場合に実施形態の前記霜落し動作パターンは、第１霜落パターンと第２霜落パターンと第３霜落パターンとのいずれも、シート２を全開放させることなく、接地部１２を床面から必要以上に高く離間させない下限位置の上方近傍において、昇降動作を短時間づつ繰返すことによって振動を効果的に付与して霜落しをする。このため冷気の外部流出を抑制すると共に、在来型のシートシャッタ１でも構造を大きく変更することなく簡潔で廉価な構造によって効率よく霜落しを実現できる。
【００４９】
また各霜落し動作パターンは振動の付与のほか、各パターン毎に特徴とする霜落し動作を組合せて一連に霜落し動作を行うことができるので、動作各部に無理を生じさせることなく且つシート２の霜の付着部分に対し広い範囲で霜落しを効果的に行うことができる。
即ち、第１霜落パターンでは、シート２を下降させ接地部１２を床面に衝突させて接地部１２及びシート２の下端部に強い振動を付与し、この部分に付着する霜の霜落しを確実に行う。
【００５０】
第２霜落パターンでは、接地部１２を床面に接地させることなく高さｈ３を保持するように急停止させるため、接地部１２の大きな下降動作時の慣性により、シート２に瞬時的な張り伸ばし緊張やバウンドを付与し、上下及び前後方向に激しく振動させるので、付着した霜の剥離及び脱落を促進する除霜を行うことができる。
【００５１】
第３霜落パターンでは、シート２を霜落高さｈ４から下降動作させスローストップ制御よって通常開閉モードと同様に下限位置で停止をさせるため、接地部１２を緩やかに適正閉じ状態に接地(ソフトランディング)することができる。従って、シートシャッタ１が、例えば―２０℃程度の低温下で運転される冷凍設備に設置される場合でも、シート２に生成し塊状になって頑固に付着する霜を確実に除去することができる。またこれにより通常開閉モードによるシート２の上昇動作をスムーズにすることができる。
【００５２】
尚、実施形態の霜落し動作モードの各霜落し動作パターン及び順位やその組合せによる霜落方法は、図示例のシートシャッタ１及び図９で示すシートシャッタ１において、霜落しをシート２や各作動機器に無理を生じさせることなく行なうことができたが、霜の生成環境の異なる設備や異なる方式のシャッタ装置に対しては、それぞれに適応する霜落し動作モード及び動作パターンを設定して行うことが望ましい。
また上記霜落し方法は図示例のシート２を備えたシートシャッタ１の他に、図９に示すような心材付シート２を有する別実施形態のシートシャッタ１についても同様に使用することができる。
【００５３】
次に、上記別実施形態のシートシャッタ１について図９，図１０を参照し説明する。尚、前記実施形態のものと同様な構成及び作用については説明を省略する。このシートシャッタ１は、前記実施形態のシートシャッタ１のアウターレール１４からインナーレール１６及び上部インナーレール１７を取り外している。そして左右のアウターレール１４に対し、在来のものと同様な心材付シート２ａが有する複数の心材３３の両端を挿入することにより、心材３３を昇降スライド案内しシート２ａの開閉動作を行うことができる。
【００５４】
これにより図９のシートシャッタ１は、シート２ａをシートドラム５に巻取った前記上限位置において下降待機姿勢にする。そして、シートドラム５を繰出し回転すると、シート２ａを繰出し最下位の心材３３ａ及び次位の心材３３・・を順次レール溝１４ｂ内に下降スライドさせて全閉状態にする。またシートドラム５の巻取り回転によって各心材３３をアウターレール１４内を上昇スライドさせてシート２ａを巻取り上昇させる。図示例の心材３３，３３ａは在来のものと同様に丸パイプとなしており、シート２の心材取付け位置に形成される心材取付袋３４内に挿入することによって取付け支持している。そして、心材３３，３３ａの両端には、軸端にローラ３６を回転自在に軸支するローラ軸３７を着脱自在に挿入して取付けている。
【００５５】
ローラ３６は耐寒性及び耐摩耗性を有する合成樹脂材によって、ローラ外周を中高に膨らむ湾曲面にしている。さらにローラ３６の中央部に凹溝状のリング溝３６ａを形成し、該リング溝３６ａ内に弾性力を有するリング３８を着脱自在に挿入し、リング外周面を前記湾曲面から突出させている。またローラ３６はローラ軸３７に回転自在に挿入した状態で、該ローラ軸３７の端部に設けられる取付具３９によって着脱自在に取付けている。これによりローラ３６は、アウターレール１４にローラ外周を直接的に接触させることなくリング３８を接触して転動させるため、レール面に付着した霜からローラ外周を保護することができる。またリング３８は付着霜に弾力的に接当するので、シート２の開閉動作をスムーズにすると共にリング摩耗時の交換を簡単に行うことができる等の特徴がある。
【符号の説明】
【００５６】
１  シートシャッタ（シャッタ装置）
２  シート（シャッタ）
２ａ  心材付シート
３  支柱
４  シートケース（装置フレーム）
５  シートドラム（格納繰出装置）
７  モータ
９  制御盤
１１  シートガイド部
１４  アウターレール
３１  シートストッパ
３２  ストッパ
【図１】
2014098256.tif 000003
【図２】
2014098256.tif 000004
【図３】
2014098256.tif 000005
【図４】
2014098256.tif 000006
【図５】
2014098256.tif 000007
【図６】
2014098256.tif 000008
【図７】
2014098256.tif 000009
【図８】
2014098256.tif 000010
【図９】
2014098256.tif 000011
【図１０】
2014098256.tif 000012